(57)【要約】【課題】着信があまりなく、必要な時にしか電話をかけないような場合に消費電力のより大きな削減を図ることが可能な携帯電話機を提供する。【解決手段】比較部１３は記憶部１１で記憶している最後の使用時間と、受信間隔時間設定記憶部１２に記憶されている受信間隔時間とを比較する。設定された受信間隔時間以上の間、受信がなく、受信レベル測定部１５で測定した結果が予め設定された規定値以上あれば、セル制御部１６が監視しているセル数を変更し、間欠受信制御部１４が通常の間欠受信間隔の設定を倍の設定に変更する。設定された受信間隔時間以上の間、受信がなく、受信レベル測定部１５で測定した結果が予め設定された規定値以上なければ、間欠受信制御部１４が通常の間欠受信間隔の設定を倍の設定に変更する。【選択図】　　　図１
2004134904.tif 000002
【特許請求の範囲】
【請求項１】
間欠的に電源をオンにして自端末宛ての着信の有無をチェックする間欠受信を行う機能と、受信可能な複数の基地局をそれぞれサーチする機能とを含む携帯電話機であって、自端末周辺の条件を監視する監視手段と、その監視結果に応じて前記間欠受信の間隔の拡大と前記基地局のサーチ数の削減とを行う手段とを有することを特徴とする携帯電話機。
【請求項２】
前記監視手段は、外部から予め設定された設定値を基に自端末の使用頻度を監視する手段と、自端末の受信状態を監視する手段とを含むことを特徴とする請求項１記載の携帯電話機。
【請求項３】
前記監視手段は、自端末のバッテリ残量を監視する手段と、自端末の受信状態を監視する手段とを含むことを特徴とする請求項１記載の携帯電話機。
【請求項４】
前記基地局のサーチ数は、現時点で携帯電話機が通信している基地局及び前記現時点以降に接続する可能性のある複数の基地局のサーチ数であることを特徴とする請求項１から請求項３のいずれか記載の携帯電話機。
【請求項５】
前記間欠受信の間隔の拡大は、少なくとも着信数が少ない場合、発信を主として使用する場合、データ通信を主として使用する場合のいずれかの場合に実行することを特徴とする請求項１から請求項４のいずれか記載の携帯電話機。
【請求項６】
間欠的に電源をオンにして自端末宛ての着信の有無をチェックする間欠受信を行う機能と、受信可能な複数の基地局をそれぞれサーチする機能とを含む携帯電話機のバッテリセービング方法であって、自端末周辺の条件を監視するステップと、その監視結果に応じて前記間欠受信の間隔の拡大と前記基地局のサーチ数の削減とを行うステップとを有することを特徴とするバッテリセービング方法。
【請求項７】
前記自端末周辺の条件を監視するステップは、外部から予め設定された設定値を基に自端末の使用頻度を監視するステップと、自端末の受信状態を監視するステップとを含むことを特徴とする請求項６記載のバッテリセービング方法。
【請求項８】
前記自端末周辺の条件を監視するステップは、自端末のバッテリ残量を監視するステップと、自端末の受信状態を監視するステップとを含むことを特徴とする請求項６記載のバッテリセービング方法。
【請求項９】
前記基地局のサーチ数は、現時点で携帯電話機が通信している基地局及び前記現時点以降に接続する可能性のある複数の基地局のサーチ数であることを特徴とする請求項６から請求項８のいずれか記載のバッテリセービング方法。
【請求項１０】
前記間欠受信の間隔の拡大は、少なくとも着信数が少ない場合、発信を主として使用する場合、データ通信を主として使用する場合のいずれかの場合に実行することを特徴とする請求項６から請求項９のいずれか記載のバッテリセービング方法。
【請求項１１】
間欠的に電源をオンにして自端末宛ての着信の有無をチェックする間欠受信を行う機能と、受信可能な複数の基地局をそれぞれサーチする機能とを含む携帯電話機のバッテリセービング方法のプログラムであって、コンピュータに、自端末周辺の条件を監視する処理と、その監視結果に応じて前記間欠受信の間隔の拡大と前記基地局のサーチ数の削減とを行う処理とを実行させるためのプログラム。
【発明の詳細な説明】
【０００１】
【発明の属する技術分野】
本発明は携帯電話機及びそれに用いるバッテリセービング方法並びにそのプログラムに関し、特に携帯電話機における電池使用量を削減するためのバッテリセービング方法に関する。
【０００２】
【従来の技術】
従来、この種のバッテリセービング方法では、消費電力を削減するため、着信の待ち受け状態の時に主要回路の電源をオフとし、間欠的に受信回路の電源をオンにして自端末宛ての着信の有無をチェックしている。例えば、１秒間に１回、受信回路の電源をオンとし、基地局からの電波の状態や着信の有無等をチェックし、着信等がなければ受信回路の電源を再度オフとしている。
【０００３】
上記のような制御を行う携帯電話機では、消費電力のより大きな削減を図るために、着呼履歴に応じて間欠間隔を可変する方法（例えば、特許文献１参照）や、受信回路の電源をオンとするタイミングを遅らせる方法（例えば、特許文献２参照）がある。
【０００４】
【特許文献１】
特開２０００−２６１３６４号公報（第６，７頁、図３）
【特許文献２】
特開２００２−９６８８号公報（第６，７頁、図１）
【０００５】
【発明が解決しようとする課題】
上述した従来のバッテリセービング方法では、着呼履歴に応じて間欠間隔を可変する方法や、受信回路の電源をオンとするタイミングを遅らせる方法等を用いることで消費電力のより大きな削減を図っているが、携帯電話機を所持していても、着信があまりなく、必要な時にしか電話をかけないようなユーザの場合、電話を使用していない時間が殆どないのにもかかわらず、いざ使おうと思った時に電池が残量不足となっていて使えないという問題がある。
【０００６】
そこで、本発明の目的は上記の問題点を解消し、着信があまりなく、必要な時にしか電話をかけないような場合に消費電力のより大きな削減を図ることができる携帯電話機及びそれに用いるバッテリセービング方法並びにそのプログラムを提供することにある。
【０００７】
【課題を解決するための手段】
本発明による携帯電話機は、間欠的に電源をオンにして自端末宛ての着信の有無をチェックする間欠受信を行う機能と、受信可能な複数の基地局をそれぞれサーチする機能とを含む携帯電話機であって、自端末周辺の条件を監視する監視手段と、その監視結果に応じて前記間欠受信の間隔を拡大と前記基地局のサーチ数の削減とを行う手段とを備えている。
【０００８】
本発明によるバッテリセービング方法は、間欠的に電源をオンにして自端末宛ての着信の有無をチェックする間欠受信を行う機能と、受信可能な複数の基地局をそれぞれサーチする機能とを含む携帯電話機のバッテリセービング方法であって、自端末周辺の条件を監視するステップと、その監視結果に応じて前記間欠受信の間隔の拡大と前記基地局のサーチ数の削減とを行うステップとを備えている。
【０００９】
本発明によるバッテリセービング方法のプログラムは、間欠的に電源をオンにして自端末宛ての着信の有無をチェックする間欠受信を行う機能と、受信可能な複数の基地局をそれぞれサーチする機能とを含む携帯電話機のバッテリセービング方法のプログラムであって、コンピュータに、自端末周辺の条件を監視する処理と、その監視結果に応じて前記間欠受信の間隔の拡大と前記基地局のサーチ数の削減とを行う処理とを実行させている。
【００１０】
すなわち、本発明の携帯電話機は、受信可能な複数の基地局をそれぞれサーチする機能を持つ端末において、着信や発信の使用頻度を監視し、ユーザの設定した一定時間内に使用する頻度が少ない（使用されない）時に、自動的に間欠受信間隔を広げるとともに、受信状態によって監視するセル数（サーチする基地局数）を減らしている。これによって、本発明の携帯電話機では、従来よりも電池寿命を延ばすことが可能となる。
【００１１】
より具体的に説明すると、本発明の携帯電話機では、一定時間内に使用する頻度の検出結果や受信状態等の検出結果等の周辺の条件等に応じて間欠受信の間隔や受信セル数を増減させている。
【００１２】
周辺の条件等とは、ユーザが携帯電話機を使用する範囲（電波状況）、携帯電話機のバッテリ残量等が挙げられる。間欠受信の間隔とは携帯電話機の電源が入っている状態で、自端末宛ての着信がないかどうかを確認するために受信信号を見にいく周期のことである。受信セルとは現時点で携帯電話機が通信（位置登録）している基地局及び移動後に接続する可能性のある複数の基地局を指している。間欠受信の間隔や受信セル数を増減させる際のユーザの使用状態としては、端末自体の使用頻度が少ない状態、着信があまりない状態、通話を主とする使用方法の状態、データ通信を主とする使用方法の状態等がある。
【００１３】
【発明の実施の形態】
次に、本発明の実施例について図面を参照して説明する。図１は本発明の一実施例による携帯電話機の構成を示すブロック図である。図１において、携帯電話機１は記憶部１１と、受信間隔時間設定記憶部１２と、比較部１３と、間欠受信制御部１４と、受信レベル測定部１５と、セル制御部１６と、記録媒体１７とから構成されている。
【００１４】
記憶部１１は自端末の使用状況を記憶する。受信間隔時間設定記憶部１２はユーザがバッテリセービングモードに入れるために予め設定した受信間隔時間を記憶する。
【００１５】
比較部１３は記憶部１１で記憶している最後の使用時間と、受信間隔時間設定記憶部１２に記憶している受信間隔時間とを比較する。間欠受信制御部１４は受信間隔時間設定記憶部１２に記憶している受信間隔時間以上の時間が経過した時に間欠受信間隔を変更する。
【００１６】
受信レベル測定部１５は自端末に入力される電波の受信状態を測定する。セル制御部１６は受信レベル測定部１５で測定された結果を基に監視するセル数を変更する。記録媒体１７は自端末内の各部の動作を実現させかつコンピュータで実行可能なプログラムを記憶する。
【００１７】
図２は図１の携帯電話機１の動作を示すフローチャートである。これら図１及び図２を参照して携帯電話機１の動作について説明する。尚、図２に示す処理は携帯電話機１のＣＰＵ（中央処理装置）（図示せず）等のコンピュータが記録媒体１７のプログラムを実行することで実現される。
【００１８】
まず、ユーザは端末自体の使用頻度が少ない場合、着信があまりない場合、通話を主とする使用方法の場合、データ通信を主とする使用方法の場合等の着信があまりなく、必要な時にしか電話をかけないような場合に、図示せぬキー操作部を操作して受信間隔時間を設定し、その受信間隔時間を受信間隔時間設定記憶部１２に記憶する（図２ステップＳ１）。尚、受信間隔時間としては、携帯電話機１に設定可能な最大の間隔時間を設定すれば、より高いバッテリセービング効果が得られる。
【００１９】
携帯電話機１では受信間隔時間が設定されると、比較部１３によって記憶部１１で記憶している最後の使用時間［ユーザの携帯電話機の受信履歴（最後のアクセスが何時あったか）］と、受信間隔時間設定記憶部１２に記憶されている受信間隔時間とを比較する（図２ステップＳ２）。
【００２０】
携帯電話機１は設定された受信間隔時間以上の間、受信（着信）がなければ、低消費電力モード動作を開始し（図２ステップＳ４）、受信（着信）があれば、上記の比較部１３による着信履歴の監視に移行する（図２ステップＳ３，Ｓ２）。
【００２１】
携帯電話機１は低消費電力モード動作を開始すると、受信している信号の状態を測定する受信レベル測定部１５で測定した結果が強い電波を受けていれば、つまり受信レベルが予め設定された規定値以上あれば（図２ステップＳ５）、セル制御部１６によって監視しているセル数を変更するとともに、間欠受信制御部１４によって通常の間欠受信間隔（例えば、２．５６秒）の設定を倍の設定（５．１２秒）に変更する（図２ステップＳ６）。
【００２２】
また、携帯電話機１は受信レベルが予め設定された規定値以上なければ（図２ステップＳ５）、間欠受信制御部１４によって通常の間欠受信間隔の設定を倍の設定に変更する（図２ステップＳ７）。
【００２３】
これによって、本実施例では着信があまりなく、必要な時にしか電話をかけないような場合に、携帯電話機１の消費電力のより大きな削減を図ることができる。
【００２４】
このように、本実施例では、一定時間内に使用する頻度の検出結果や受信状態等の検出結果等の周辺の条件等に応じて間欠受信の間隔や受信セル数を増減させることによって、ユーザが意識することなく、従来の携帯電話機よりも電池寿命を延ばすことができる。
【００２５】
ここで、周辺の条件等とは、ユーザが携帯電話機１を使用する範囲（電波状況）、携帯電話機１のバッテリ残量等が挙げられる。間欠受信の間隔とは間欠的に受信回路（図示せず）の電源をオンにして自端末宛ての着信の有無をチェックする周期、言い換えれば携帯電話機１の電源が入れて受信がないかどうかを確認するために受信信号を見にいく周期のことである。
【００２６】
受信セルとは現時点で携帯電話機１が通信（位置登録）している基地局及び移動後に接続する可能性のある複数の基地局を指している。間欠受信の間隔や受信セル数を増減させる際のユーザの使用状態としては、端末自体の使用頻度が少ない状態、着信があまりない状態、通話を主とする使用方法の状態、データ通信を主とする使用方法の状態等がある。
【００２７】
図３は本発明の他の実施例による携帯電話機の構成を示すブロック図である。図３において、本発明の他の実施例による携帯電話機２は記憶部１１と受信間隔時間設定記憶部１２と比較部１３との代わりに、バッテリ残量監視部２１とバッテリセービング閾値記憶部２２と比較部２３とを設けた以外は図１に示す本発明の一実施例による携帯電話機１と同様の構成となっており、同一構成要素の動作は本発明の一実施例と同様である。
【００２８】
バッテリ残量監視部２１は図示せぬバッテリの残量を監視し、バッテリセービング閾値記憶部２２は予め設定されたバッテリセービングを開始するバッテリセービング閾値を記憶する。
【００２９】
比較部２３はバッテリ残量監視部２１の監視結果（バッテリの残量）と、バッテリセービング閾値記憶部２２に記憶されたバッテリセービング閾値（一定の容量）とを比較する。間欠受信制御部１４はバッテリの残量がバッテリセービング閾値記憶部２２に記憶されたバッテリセービング閾値以下になった場合に間欠受信間隔を変更する。
【００３０】
受信レベル測定部１５は自端末に入力される電波の受信状態を測定する。セル制御部１６は受信レベル測定部１５で測定された結果を基に監視するセル数を変更する。記録媒体２４は自端末内の各部の動作を実現させかつコンピュータで実行可能なプログラムを記憶する。
【００３１】
図４は図３の携帯電話機２の動作を示すフローチャートである。これら図３及び図４を参照して携帯電話機２の動作について説明する。尚、図４に示す処理は携帯電話機２のＣＰＵ（中央処理装置）（図示せず）等のコンピュータが記録媒体２４のプログラムを実行することで実現される。
【００３２】
携帯電話機２ではバッテリ残量監視部２１から監視結果（バッテリの残量）が通知されると（図４ステップＳ１１）、比較部２３によってバッテリ残量監視部２１からの監視結果（バッテリの残量）と、バッテリセービング閾値記憶部２２に記憶されたバッテリセービング閾値とを比較する（図４ステップＳ１２）。
【００３３】
携帯電話機２はバッテリ残量監視部２１からの監視結果（バッテリの残量）がバッテリセービング閾値記憶部２２に記憶されたバッテリセービング閾値以下になると、低消費電力モード動作を開始する（図４ステップＳ１３）。
【００３４】
携帯電話機２は低消費電力モード動作を開始すると、受信している信号の状態を測定する受信レベル測定部１５で測定した結果が強い電波を受けていれば、つまり受信レベルが予め設定された規定値以上あれば（図４ステップＳ１４）、セル制御部１６によって監視しているセル数を変更するとともに、間欠受信制御部１４によって通常の間欠受信間隔（例えば、２．５６秒）の設定を倍の設定（５．１２秒）に変更する（図４ステップＳ１５）。
【００３５】
また、携帯電話機２は受信レベルが予め設定された規定値以上なければ（図４ステップＳ１４）、間欠受信制御部１４によって通常の間欠受信間隔の設定を倍の設定に変更する（図４ステップＳ１６）。
【００３６】
これによって、本実施例では着信があまりなく、必要な時にしか電話をかけないような場合に、携帯電話機２の消費電力のより大きな削減を図ることができる。
【００３７】
このように、本実施例では、一定時間内に使用する頻度の検出結果や受信状態等の検出結果等の周辺の条件等に応じて間欠受信の間隔や受信セル数を増減させることによって、ユーザが意識することなく、従来の携帯電話機よりも電池寿命を延ばすことができる。
【００３８】
【発明の効果】
以上説明したように本発明は、間欠的に電源をオンにして自端末宛ての着信の有無をチェックする間欠受信を行う機能と、受信可能な複数の基地局をそれぞれサーチする機能とを含む携帯電話機において、自端末周辺の条件を監視し、その監視結果に応じて間欠受信の間隔の拡大と基地局のサーチ数の削減とを行うことによって、着信があまりなく、必要な時にしか電話をかけないような場合に消費電力のより大きな削減を図ることができるという効果が得られる。
【図面の簡単な説明】
【図１】本発明の一実施例による携帯電話機の構成を示すブロック図である。
【図２】図１の携帯電話機の動作を示すフローチャートである。
【図３】本発明の他の実施例による携帯電話機の構成を示すブロック図である。
【図４】図３の携帯電話機の動作を示すフローチャートである。
【符号の説明】
１，２　携帯電話機
１１　記憶部
１２　受信間隔時間設定記憶部
１３，２３　比較部
１４　間欠受信制御部
１５　受信レベル測定部
１６　セル制御部
１７，２４　記録媒体
２１　バッテリ残量監視部
２２　バッテリセービング閾値記憶部
【図１】
2004134904.tif 000003
【図２】
2004134904.tif 000004
【図３】
2004134904.tif 000005
【図４】
2004134904.tif 000006